(57)【要約】【課題】簡単な配置の回路でコストの低さを有する発光キーボードを提供する。【解決手段】薄膜スイッチ回路は第一ジャンパエリアとバスを含み、バスを経由して主回路基板に接続される。発光回路基板は第二ジャンパエリアを含み、また第二ジャンパエリアは第一ジャンパエリアへ接続され、発光回路基板は第二ジャンパエリア、第一ジャンパエリア及びバスを経由して主回路基板に電気的に接続される。【選択図】図３
2012216164.tif 000002
【特許請求の範囲】
【請求項１】
発光キーボードであって、
主回路基板と、
前記主回路基板に接続される薄膜スイッチ回路と、
前記薄膜スイッチ回路に重置される発光回路基板と、
前記薄膜スイッチ回路の上方に位置され、少なくとも一つの接点に対応し、前記薄膜スイッチ回路を触発させる少なくとも一つのキーを含み、
前記薄膜スイッチ回路はさらに、
触発される事で信号を発生させる少なくとも一つのキー接点と、
前記キー接点に接続され、第一ジャンパエリアを有する第一伝導回路と、
前記主回路基板と第一伝導回路に接続されるバスを含み、
前記発光回路基板はさらに、
前記発光回路基板の第一面上に設置され、ビームを発生させる少なくとも一つの発光源と、
前記発光回路基板の前記第一面上に設置され、また前記発光源に接続され、それは第二ジャンパエリアを有する第二伝導回路を含み、
ここでは前記第一ジャンパエリアは前記第二ジャンパエリアに接触し、前記発光回路基板に前記バス、前記第一伝導回路及び前記第二伝導回路を経由させて電源を獲得させることを特徴とする発光キーボード。
【請求項２】
前記薄膜スイッチ回路と前記発光回路基板は圧着されて前記第一ジャンパエリアと前記第二ジャンパエリアに結合されることを特徴とする、請求項1に記載の発光キーボード。
【請求項３】
前記第一ジャンパエリア或いは前記第二ジャンパエリア上に設置される導電接着剤を更に含み、また前記薄膜スイッチ回路と前記発光回路基板は熱圧着され、前記導電接着剤は熱で溶かされ、前記第一ジャンパエリアと前記第二ジャンパエリアは前記導電接着剤により結合されることを特徴とする、請求項２に記載の発光キーボード。
【請求項４】
少なくとも一つの弾性体フィルムを更に含み、また前記発光回路基板は前記発光回路基板の第二面上に設置され、光漏れを防ぐ遮光層を更に含み、ここでは前記少なくとも一つの弾性体フィルムは前記遮光層上に設置されることを特徴とする、請求項1に記載の発光キーボード。
【請求項５】
前記薄膜スイッチ回路と前記キーをその上に設置させる底板を更に含み、また前記少なくとも一つのキーは、
前記発光キーボードの表面に露出される少なくとも一つのキーキャップと、
前記底板と前記少なくとも一つのキーキャップの間に位置され、前記底板と前記少なくとも一つのキーキャップを接合させて前記少なくとも一つのキーキャップを前記底板に対向させて上下移動させる少なくとも一つのはさみ型接合部材と、
前記発光回路基板の第二面上に設置され、前記少なくとも一つのキーキャップが触圧された時、それは圧縮されて前記薄膜スイッチ回路に当接され、前記薄膜スイッチ回路を触発させ、また前記少なくとも一つのキーキャップが触圧から解放された時、それは弾力を前記少なくとも一つのキーキャップに与え、前記少なくとも一つのキーキャップを復位させる少なくとも一つの弾性体を含むことを特徴とする、請求項1に記載の発光キーボード。
【請求項６】
前記薄膜スイッチ回路は、
少なくとも一つの上部接点と、前記第一伝導回路と、前記第一ジャンパエリア及び前記上部回路基板上に設置される前記バスを有する上部回路基板と、
前記上部回路基板の一辺に位置され、前記少なくとも一つの上部接点に対応する少なくとも一つの下部接点及び第三伝導回路を有し、前記少なくとも一つの上部接点と前記少なくとも一つの下部接点は少なくとも一つのキー接点を形成させ、前記下部接点は前記薄膜スイッチ回路が触圧される時に前記上部接点に接触される事で前記信号を発生させ、また前記第三伝導回路は第三ジャンパエリアを有し、前記第三ジャンパエリアは前記第一ジャンパエリアに接触されて前記上部回路基板とそれの接点回路を確立させる下部回路基板と、
前記上部回路基板と前記下部回路基板の間に位置され、それは前記少なくとも一つの上部接点に対応する少なくとも一つの隔離層孔部を有し、前記少なくとも一つの隔離層孔部は前記薄膜スイッチ回路が触圧される時に前記少なくとも一つの上部接点に進入される隔離層を更に含むことを特徴とする、請求項1に記載の発光キーボード。
【請求項７】
前記薄膜スイッチ回路は、
少なくとも一つの上部接点と第三伝導回路を有し、また前記第三伝導回路は第三ジャンパエリアを有する上部回路基板と、
前記上部回路基板の一辺に位置され、前記少なくとも一つの上部接点に対応する少なくとも一つの下部接点を有し、また前記少なくとも一つの上部接点と前記少なくとも一つの下部接点は少なくとも一つのキー接点を形成させ、前記少なくとも一つの下部接点は前記薄膜スイッチ回路が触圧される時に前記少なくとも一つの上部接点に接触される事で前記信号を発生させ、前記第一伝導回路、前記第一ジャンパエリア及び前記バスはそれの上に設置され、前記第一ジャンパエリアは前記第三ジャンパエリアに接触されて前記上部回路基板とそれの接点回路を確立させる下部回路基板と、
前記上部回路基板と前記下部回路基板の間に位置され、それは前記少なくとも一つの上部接点に対応する少なくとも一つの隔離層孔部を有し、前記隔離層孔部は前記薄膜スイッチ回路が触圧される時に前記少なくとも一つの上部接点に進入される隔離層を更に含むことを特徴とする、請求項1に記載の発光キーボード。
【請求項８】
発光キーボードであって、
主回路基板と、
少なくとも一つの第一接点、第一伝導回路及びバスを有し、前記第一伝導回路は第一ジャンパエリアを有し、また前記第一接点及び前記第一伝導回路は前記バスに接続され、前記バスは前記主回路基板に接続される第一回路基板と、
前記第一回路基板の一辺に位置され、前記第一接点に対応する第二接点を有し、前記第二接点は前記第一回路基板或いはそれが触圧される時に前記第一接点に接触される第二回路基板と、
前記第一回路基板と前記第二回路基板の間に位置され、前記第一回路基板及び前記第二回路基板は薄膜スイッチ回路を形成させる発光回路基板と、
前記第一回路基板の上方に位置され、前記少なくとも一つの第一接点に対応して、前記第一回路基板を触発させる少なくとも一つのキーを含み、また前記発光回路基板は更に、
前記第一接点に対応し、前記薄膜スイッチ回路が触圧される時に前記少なくとも一つの第一接点或いは前記少なくとも一つ第二接点に進入される少なくとも一つの隔離層孔部と、
前記発光回路基板の前記第一面上に設置され、ビームを発生させる少なくとも一つ発光源と、
前記発光回路基板の前記第一面上に設置され、前記発光源に接続され、それは第二ジャンパエリアを有する第二伝導回路を含み、
前記第一ジャンパエリアは前記第二ジャンパエリアに接触され、前記発光回路基板に前記バス、前記第一伝導回路及び前記第二伝導回路を経由させて電源を獲得させることを特徴とする発光キーボード。
【請求項９】
前記第一回路基板と前記発光回路基板は圧着方式で前記第一ジャンパエリア及び前記第二ジャンパエリアに結合されることを特徴とする、請求項８に記載の発光キーボード。
【請求項１０】
前記第一ジャンパエリア或いは前記第二ジャンパエリア上に設置され、また前記第一回路基板と前記発光回路基板は熱圧着され、それは熱で溶かされ、前記第一ジャンパエリアと前記第二ジャンパエリアはそれにより結合される導電接着剤を更に含むことを特徴とする、請求項９に記載の発光キーボード。
【請求項１１】
前記第二回路基板は第三伝導回路を更に含み、また第三伝導回路は第三ジャンパエリアを有し、前記第三ジャンパエリアは前記第一ジャンパエリアに接触されて前記第一回路基板と前記第二回路基板の接点回路を確立させ、ここでは前記第一回路基板は上部回路基板であり、前記第二回路基板は下部回路基板であることを特徴とする、請求項８に記載の発光キーボード。
【請求項１２】
前記第二回路基板は第三伝導回路を更に含み、また前記第三伝導回路は第三ジャンパエリアを有し、前記第三ジャンパエリアは前記第一ジャンパエリアに接触されて前記第一回路基板と前記第二回路基板の接点回路を確立させ、ここでは前記第一回路基板は下部回路基板であり、前記第二回路基板は上部回路基板であることを特徴とする、請求項８に記載の発光キーボード。
【請求項１３】
前記第一回路基板、前記第二回路基板及び前記キーをその上に設置させる底板を更に含み、また前記少なくとも一つのキーは更に、
前記発光キーボードの表面に露出される少なくとも一つのキーキャップと、
前記底板と前記少なくとも一つのキーキャップの間に位置され、前記底板と前記少なくとも一つのキーキャップを接合させて前記少なくとも一つのキーキャップを前記底板に対向させて上下移動させる少なくとも一つのはさみ型接合部材と、
前記発光キーボードの弾性体フィルム上に設置され、前記少なくとも一つのキーキャップが触圧される時、それは圧縮されて前記第一回路基板或いは前記第二回路基板に当接され、前記第一回路基板或いは前記第二回路基板を触発させ、前記少なくとも一つのキーキャップが触圧から解放された時、それは弾力を前記少なくとも一つのキーキャップに与え、前記少なくとも一つのキーキャップを復位させる少なくとも一つの弾性体を含むことを特徴とする、請求項８に記載の発光キーボード。
【発明の詳細な説明】
【技術分野】
【０００１】
本発明は、キーボードに関し、より詳しくは、発光機能を有する発光キーボードに関する。
【背景技術】
【０００２】
はじめに、従来のキーボードの構造及び機能について説明する。図１は従来のキーボードの外観構造の概略図である。従来のキーボード１の表面は複数個のキー１０を有し、これらのキー１０は一般キー１０１、テンキー１０２及びファンクションキー１０３等に分類され、これらのキーはユーザーに指で触圧される事で対応する信号を発生させてパソコンに送信し、パソコンは触圧されたキーの機能を執行する。例えば一般キー１０１は英字等の符号の入力、テンキー１０２は数字の入力、そしてＦ１〜Ｆ１２等のファンクションキー１０３は各種機能の提供に用いられる。
【０００３】
科学技術の進歩に伴い、キーボードメーカーは異なるユーザーの各種需要を満足させる為に各種特殊機能を有するキーボードの研究開発に注力してきた。発光機能を有する発光キーボードを例に説明すると、従来の発光キーボードの外観と従来のキーボード１の外観は完全に同じであるので、主に従来の発光キーボードの内部構造について説明する。図２は従来の発光キーボードの部分構造の分解概略図である。従来の発光キーボード２は少なくとも一つのキー２０(図中では一個のみ図示する)、金属底板２１、薄膜スイッチ回路２２、弾性体フィルム２３、発光薄膜スイッチ回路２４及び主回路基板２５を含む。キー２０はキーキャップ２０１、はさみ型接合部材２０２及び弾性体２０３で構成される。従来の発光キーボード２の、上述の各部材は上から下への排列順にキーキャップ２０１、はさみ型接合部材２０２、弾性体２０３、弾性体フィルム２３、発光薄膜スイッチ回路２４、薄膜スイッチ回路２２及び金属底板２１となり、主回路基板２５は薄膜スイッチ回路２２の一辺に位置される。
【０００４】
キー２０のキーキャップ２０１は従来の発光キーボード２の外に露出されユーザーに触圧され、はさみ型接合部材２０２によりキーキャップ２０１及び金属底板２１は接合され、弾性体２０３ははさみ型接合部材２０２を貫通してキーキャップ２０１及び薄膜スイッチ回路２２にそれぞれ接触される。薄膜スイッチ回路２２は複数個のキー２０に対応する複数個の回路接点２２１、第一伝導回路２２２及び第一バス２２３を有する。第一伝導回路２２２は複数個の回路接点２２１及び第一バス２２３に接続され、また第一バス２２３は主回路基板２５に接続される。複数個の回路接点２２１は複数個のキー２０が触圧される事で発生する信号を、第一伝導回路２２２と第一バス２２３を経由させて信号を主回路基板２５に伝送させる。薄膜スイッチ回路２２に必要な電源も第一伝導回路２２２及び第一バス２２３を経由させて獲得される。
【０００５】
弾性体フィルム２３は弾性体２０３と薄膜スイッチ回路２２の間に位置され、弾性体２０３をその上に固定させ、また弾性体フィルム２３は遮光層２３１を有し、弾性体２０３は接着剤により弾性体フィルム２３上に固定され、また弾性体２０３は透光性ゴムである。発光薄膜スイッチ回路２４は複数の発光源２４１、第二伝導回路２４２及び第二バス２４３からなる。発光源２４１はビームを発生させ、第二伝導回路２４２は発光源２４１及び第二バス２４３に接続され、また第二バス２４３は主回路基板２５に接続され、電源の獲得に用いられ、電源は第二バス２４３と第二伝導回路２４２を経由して発光源２４１に伝送され、発光源２４１に電源を獲得させてビームを発生させる。
【発明の概要】
【発明が解決しようとする課題】
【０００６】
従来の発光キーボード２と従来のキーボード１の内部構造は非常に類似しており、両者の異なる点は従来の発光キーボード２は発光薄膜スイッチ回路２４が追加されている点である。このため、一般キーボード製造メーカーは従来のキーボード１中に発光薄膜スイッチ回路２４を追加して従来の発光キーボード２を形成させ、これは言うなれば、従来のキーボード１は主回路基板２５の第一バス２２３に接続される事で信号及び電源を伝送出来るが、従来の発光キーボード２は主回路基板２５の第一バス２２３及び第二バス２４３にそれぞれ接続される事で信号及び電源を伝送出来る事になる。発光薄膜スイッチ回路２４が追加設置される従来の発光キーボード２の、第二伝導回路２４２は第二バス２４３に接続される以外に、第二伝導回路２４２は第一伝導回路２２２を避ける必要があり、その回路の配置を複雑にさせ回路設計を難航させた。
【０００７】
本発明は、このような従来の問題に鑑みてなされたものである。上記課題解決のため、本発明は、簡単な回路の配置を有する発光キーボードを提供することを主目的とする。
【０００８】
本発明はコストを削減させる発光キーボードを提供することをもう一つの目的とする。
本発明はその内部構造の全高を縮小させる発光キーボードを提供することをまた一つの目的とする。
【課題を解決するための手段】
【０００９】
好ましい実施形態に於いて、本発明に係る発光キーボードは、
主回路基板と、
主回路基板に接続される薄膜スイッチ回路と、
薄膜スイッチ回路に重置される発光回路基板と、
薄膜スイッチ回路の上方に位置され、少なくとも一つの接点に対応し、薄膜スイッチ回路を触発させる少なくとも一つのキーを含み、
薄膜スイッチ回路はさらに、
触発される事で信号を発生させる少なくとも一つのキー接点と、
キー接点に接続され、第一ジャンパエリアを有する第一伝導回路と、
主回路基板と第一伝導回路に接続されるバスを含み、
発光回路基板はさらに、
発光回路基板の第一面上に設置され、ビームを発生させる少なくとも一つの発光源と、
発光回路基板の前記第一面上に設置され、また発光源に接続され、それは第二ジャンパエリアを有する第二伝導回路を含み、
ここでは第一ジャンパエリアは第二ジャンパエリアに接触し、発光回路基板にバス、第一伝導回路及び第二伝導回路を経由させて電源を獲得させる。
【００１０】
好ましい実施形態では、薄膜スイッチ回路と発光回路基板は圧着されて第一ジャンパエリア及び第二ジャンパエリアを結合させる。
【００１１】
好ましい実施形態では、本発明に係る発光キーボードは、第一ジャンパエリア或いは第二ジャンパエリア上に設置される導電接着剤を更に含み、また薄膜スイッチ回路と発光回路基板は熱圧着され、導電接着剤は熱で溶かされて、第一ジャンパエリア及び第二ジャンパエリアは導電接着剤により結合される。
【００１２】
好ましい実施形態では、本発明に係る発光キーボードは少なくとも一つの弾性体フィルムを更に含み、また発光回路基板は、発光回路基板の第二面上に設置され、光漏れを防ぐ遮光層を更に含み、ここでは少なくとも一つの弾性体フィルムは遮光層上に設置される。
【００１３】
好ましい実施形態では、本発明に係る発光キーボードは、薄膜スイッチ回路とキーをその上に設置させる底板を更に含み、また少なくとも一つのキーは、
発光キーボードの表面に露出される少なくとも一つのキーキャップと、
底板と少なくとも一つのキーキャップの間に位置され、底板と少なくとも一つのキーキャップを接合させて少なくとも一つのキーキャップを底板に対向させて上下移動させる少なくとも一つのはさみ型接合部材と、
発光回路基板の第二面上に設置され、少なくとも一つのキーキャップが触圧された時、それは圧縮されて薄膜スイッチ回路に当接され、薄膜スイッチ回路を触発させ、また少なくとも一つのキーキャップが触圧から解放された時、それは弾力を少なくとも一つのキーキャップに与え、少なくとも一つのキーキャップを復位させる少なくとも一つの弾性体を含む。
【００１４】
好ましい実施形態では、薄膜スイッチ回路は、
少なくとも一つの上部接点と、第一伝導回路と、第一ジャンパエリア及び上部回路基板上に設置されるバスを有する上部回路基板と、
上部回路基板の一辺に位置され、少なくとも一つの上部接点に対応する少なくとも一つの下部接点及び第三伝導回路を有し、少なくとも一つの上部接点と少なくとも一つの下部接点は少なくとも一つのキー接点を形成させ、下部接点は薄膜スイッチ回路が触圧される時に上部接点に接触される事で信号を発生させ、また第三伝導回路は第三ジャンパエリアを有し、第三ジャンパエリアは第一ジャンパエリアに接触されて上部回路基板とそれの接点回路を確立させる下部回路基板と、
上部回路基板と下部回路基板の間に位置され、それは少なくとも一つの上部接点に対応する少なくとも一つの隔離層孔部を有し、少なくとも一つの隔離層孔部は薄膜スイッチ回路が触圧される時に少なくとも一つの上部接点に進入される隔離層を更に含む。
【００１５】
好ましい実施形態では、薄膜スイッチ回路は、
少なくとも一つの上部接点と第三伝導回路を有し、また第三伝導回路は第三ジャンパエリアを有する上部回路基板と、
上部回路基板の一辺に位置され、少なくとも一つの上部接点に対応する少なくとも一つの下部接点を有し、また少なくとも一つの上部接点と少なくとも一つの下部接点は少なくとも一つのキー接点を形成させ、少なくとも一つの下部接点は薄膜スイッチ回路が触圧される時に少なくとも一つの上部接点に接触される事で信号を発生させ、第一伝導回路、第一ジャンパエリア及びバスはそれの上に設置され、第一ジャンパエリアは第三ジャンパエリアに接触されて上部回路基板とそれの接点回路を確立させる下部回路基板と、
上部回路基板と下部回路基板の間に位置され、それは少なくとも一つの上部接点に対応する少なくとも一つの隔離層孔部を有し、隔離層孔部は薄膜スイッチ回路が触圧される時に少なくとも一つの上部接点に進入される隔離層を更に含む。
【００１６】
好ましい実施形態では、本発明に係る発光キーボードは、
主回路基板と、
少なくとも一つの第一接点、第一伝導回路及びバスを有し、第一伝導回路は第一ジャンパエリアを有し、また第一接点及び第一伝導回路はバスに接続され、バスは主回路基板に接続される第一回路基板と、
第一回路基板の一辺に位置され、第一接点に対応する第二接点を有し、第二接点は第一回路基板或いはそれが触圧される時に第一接点に接触される第二回路基板と、
第一回路基板と第二回路基板の間に位置され、第一回路基板及び第二回路基板は薄膜スイッチ回路を形成させる発光回路基板と、
第一回路基板の上方に位置され、少なくとも一つの第一接点に対応して、第一回路基板を触発させる少なくとも一つのキーを含み、また発光回路基板は更に、
第一接点に対応し、薄膜スイッチ回路が触圧される時に少なくとも一つの第一接点或いは少なくとも一つ第二接点に進入される少なくとも一つの隔離層孔部と、
発光回路基板の前記第一面上に設置され、ビームを発生させる少なくとも一つ発光源と、
発光回路基板の前記第一面上に設置され、発光源に接続され、それは第二ジャンパエリアを有する第二伝導回路を含み、
第一ジャンパエリアは第二ジャンパエリアに接触され、発光回路基板にバス、第一伝導回路及び第二伝導回路を経由させて電源を獲得させる。
【００１７】
好ましい実施形態では、第一回路基板と発光回路基板は圧着方式で第一ジャンパエリア及び第二ジャンパエリアを結合させる。
【００１８】
好ましい実施形態では、本発明に係る発光キーボードは、第一ジャンパエリア或いは第二ジャンパエリア上に設置され、また第一回路基板と発光回路基板は熱圧着され、それは熱で溶かされ、第一ジャンパエリアと第二ジャンパエリアはそれにより結合される導電接着剤を更に含む。
【００１９】
好ましい実施形態では、第二回路基板は第三伝導回路を更に含み、また第三伝導回路は第三ジャンパエリアを有し、第三ジャンパエリアは第一ジャンパエリアに接触されて第一回路基板と第二回路基板の接点回路を確立させ、ここでは第一回路基板は上部回路基板であり、第二回路基板は下部回路基板である。
【００２０】
好ましい実施形態では、第二回路基板は第三伝導回路を更に含み、また第三伝導回路は第三ジャンパエリアを有し、第三ジャンパエリアは第一ジャンパエリアに接触されて第一回路基板と第二回路基板の接点回路を確立させ、ここでは第一回路基板は下部回路基板であり、第二回路基板は上部回路基板である。
【００２１】
好ましい実施形態では、本発明に係る発光キーボードは、第一回路基板、第二回路基板及びキーをその上に設置させる底板を更に含み、また少なくとも一つのキーは更に、
発光キーボードの表面に露出される少なくとも一つのキーキャップと、
底板と少なくとも一つのキーキャップの間に位置され、底板と少なくとも一つのキーキャップを接合させて少なくとも一つのキーキャップを底板に対向させて上下移動させる少なくとも一つのはさみ型接合部材と、
発光キーボードの弾性体フィルム上に設置され、少なくとも一つのキーキャップが触圧される時、それは圧縮されて第一回路基板或いは第二回路基板に当接され、第一回路基板或いは第二回路基板を触発させ、少なくとも一つのキーキャップが触圧から解放された時、それは弾力を少なくとも一つのキーキャップに与え、少なくとも一つのキーキャップを復位させる少なくとも一つの弾性体を含む。
【図面の簡単な説明】
【００２２】
【図１】従来のキーボードの外観構造の概略図である。
【図２】従来の発光キーボードの部分構造の分解概略図である。
【図３】本発明に係る発光キーボードの好ましい第一実施形態の部分構造の分解概略図ある。
【図４】本発明に係る発光キーボードの好ましい第一実施形態に於ける薄膜スイッチ回路と発光回路基板の構造分解概略図である。
【図５】本発明に係る発光キーボードの好ましい第一実施形態に於ける薄膜スイッチ回路と発光回路基板の結合前の構造側視概略図である。
【図６】本発明に係る発光キーボードの好ましい第一実施形態に於ける薄膜スイッチ回路と発光回路基板の結合後の構造側視概略図である。
【図７】本発明に係る発光キーボードの好ましい第二実施形態の部分構造の分解概略図である。
【図８】本発明に係る発光キーボードの好ましい第二実施形態に於ける薄膜スイッチ回路と発光回路基板の構造分解概略図である。
【図９】本発明に係る発光キーボードの好ましい第三実施形態の部分構造の分解概略図である。
【図１０】本発明に係る発光キーボードの好ましい第四実施形態に於ける部分構造の分解概略図である。
【発明を実施するための形態】
【００２３】
以下に図面を参照して本発明を実施するための形態について、詳細に説明する。なお、本発明は、以下に説明する実施形態に限定されるものではない。
【００２４】
従来の技術の欠点を鑑み、本発明は発光キーボードを提供する。図３は本発明に係る発光キーボードの好ましい第一実施形態に於ける部分構造の分解概略図である。発光キーボード３は底板３０、主回路基板３１、薄膜スイッチ回路３２、発光回路基板３３及び複数個のキー３４(図中には一個のみ図示する)を含む。底板３０薄膜スイッチ回路３２、発光回路基板３３及び複数個のキー３４の下方に位置され、薄膜スイッチ回路３２、発光回路基板３３及び複数個のキー３４を支持する。キー３４はキーキャップ３４１、はさみ型接合部材３４２及び弾性体３４３からなり、キーキャップ３４１は発光キーボード３の表面に露出され、ユーザーに触圧される。はさみ型接合部材３４２はキーキャップ３４１と発光回路基板３３の間に位置され、キーキャップ３４１と底板３０を接合させ、弾性体３４３はキーキャップ３４１と発光回路基板３３の間に位置され、キーキャップ３４１が触圧された時に発光回路基板３３に当接され、発光回路基板３３の下方に位置される薄膜スイッチ回路３２が触発される。好ましい本実施形態では、発光回路基板３３は発光薄膜スイッチ回路であり、また弾性体３４３は透光性ゴムで製造される。
【００２５】
発光回路基板３３は薄膜スイッチ回路３２に重置され、また薄膜スイッチ回路３２の上方に位置される。発光回路基板３３は複数の発光源３３１、第二伝導回路３３２及び遮光層３３３で構成され、複数の発光源３３１は発光回路基板３３の第一面３３４上に設置され、ビーム(図示せず)を発生させる。第二伝導回路３３２は発光回路基板の第一面３３４上に設置され、発光源３３１に接続され、第二伝導回路３３２は第二ジャンパエリア３３２１を有する。遮光層３３３は発光回路基板の第二面３３５上に設置され、ビームが二つのキーキャップ３４１間の隙間から漏れ出す(光漏れ現象)を防ぎ、また弾性体３４３は遮光層３３３上に設置され、好ましい本実施形態では、発光回路基板の第一面３３４は下部表面であり、またその第二面３３５は上部表面となる。主回路基板３１は薄膜スイッチ回路３２の一辺に設置され、薄膜スイッチ回路３２に接続される。
【００２６】
上述の発光キーボード３の構造から分かるように、キーキャップ３４１がユーザーに触圧された時、はさみ型接合部材３４２はキーキャップ３４１が触圧された際の力でキーキャップ３４１を底板３０に対向させて上下移動させ、また弾性体３４３は圧縮されて発光回路基板３３に当接され、発光回路基板３３下方に位置される薄膜スイッチ回路３２のキー接点を触発させる。キーキャップ３４１がユーザーの触圧から解放された時、弾性体３４３は弾力をキーキャップ３４１へ与え、キーキャップ３４１を復位させる。
【００２７】
次に薄膜スイッチ回路３２の構造について説明する。図４は本発明に係る発光キーボードの好ましい第一実施形態に於ける薄膜スイッチ回路と発光回路基板の構造分解概略図である。薄膜スイッチ回路３２は上部回路基板３２１、隔離層３２２及び下部回路基板３２３からなり、上部回路基板３２１は複数の上部接点３２１１、第一伝導回路３２１２及びバス３２１３で構成され、また複数の上部接点３２１１及び第一伝導回路３２１２は上部回路基板３２１の下部表面３２１４に設置される。第一伝導回路３２１２は複数の上部接点３２１１に接続され、また第一伝導回路３２１２は第一ジャンパエリア３２１２Ａを有し、バス３２１３は主回路基板３１及び第一伝導回路３２１２に接続される。下部回路基板３２３は上部回路基板３２１の一辺に位置され、複数の上部接点３２１１に対応する複数の下部接点３２３１及び第三伝導回路３２３２を有し、また複数の下部接点３２３１及び第三伝導回路３２３２は下部回路基板３２３の上部表面３２３３に設置され、ここでは図４の複数の下部接点３２３１と第三伝導回路３２３２は点線で示す。下部接点３２３１と上部接点３２１１はキー接点を形成し、また下部接点３２３１は薄膜スイッチ回路３２が触圧される時に上部接点３２１１に接触されて信号を発生させる。第三伝導回路３２３２は第三ジャンパエリア３２３２Ａを有し、第三ジャンパエリア３２３２Ａの位置は上部回路基板３２１の第一ジャンパエリア３２１２Ａの位置に対応し、第三ジャンパエリア３２３２Ａは第一ジャンパエリア３２１２Ａに接触されて上部回路基板３２１と下部回路基板３２３の接点回路(図示せず)を確立させる。このほか、発光回路基板３３の第二ジャンパエリア３３２１の位置は上部回路基板３２１の第一ジャンパエリア３２１２Ａに対応する。隔離層３２２は上部回路基板３２１と下部回路基板３２３の間に位置され、隔離層３２２は複数の上部接点３２１１に対応する複数の隔離層孔部３２２１を有し、薄膜スイッチ回路３２が触圧される時に上部接点３２１１にその中へ進入される。
【００２８】
続いて薄膜スイッチ回路３２と発光回路基板３３が結合される情況について説明する。図５は本発明に係る発光キーボードの好ましい第一実施形態に於ける薄膜スイッチ回路と発光回路基板の結合前の構造を側視した概略図である。図５は上部回路基板３２１、隔離層３２２及び下部回路基板３２３が結合されて形成される薄膜スイッチ回路３２を図示し、また発光回路基板３３は薄膜スイッチ回路３２上に重置され、両者間には導電接着剤３５を有し、導電接着剤３５は薄膜スイッチ回路３２の第一ジャンパエリア３２１２Ａ上に設置され、好ましい本実施形態では、導電接着剤３５は異方性導電フィルム(Anisotropic Conductive Film、ACF)であり、また薄膜スイッチ回路３２と発光回路基板３３の結合の過程に於いては熱圧着方式を採用し両者を結合させる。
【００２９】
図６によれば、薄膜スイッチ回路３２と発光回路基板３３の結合過程で、薄膜スイッチ回路３２と発光回路基板３３に対して熱圧着が行われ、薄膜スイッチ回路３２の第一ジャンパエリア３２１２Ａ上に位置される導電接着剤３５は熱で溶かされて、熱で溶かされた導電接着剤３５により薄膜スイッチ回路３２上の第一ジャンパエリア３２１２Ａと発光回路基板３３上の第二ジャンパエリア３３２１は結合され、この時、薄膜スイッチ回路３２上の第一伝導回路３２１２と発光回路基板３３上の第二伝導回路３３２の間に電気的接続が確立される。これにより、発光回路基板３３に必要な電源Ｅは主回路基板３１(図３に図示する)、バス３２１３、第一伝導回路３２１２(第一ジャンパエリア３２１２Ａを含む)及び第二伝導回路３３２(第二ジャンパエリア３３２１を含む)を経由して複数の発光源３３１に伝送される。
【００３０】
上述のように、好ましい本実施形態の発光キーボード３は発光回路基板３３上には第二ジャンパエリア３３２１が設置され、薄膜スイッチ回路３２上の第一ジャンパエリア３２１２Ａと発光回路基板３３上の第二ジャンパエリア３３２１の結合を利用する事で、発光回路基板３３は追加で主回路基板３１に接続されるバスを設置する必要がなく、これにより発光キーボード３は追加で設置されるバスのコストを節約できる。第二伝導回路３３２がバスに接続されずに薄膜スイッチ回路３２に接続される事により、発光回路基板３３の回路と薄膜スイッチ回路３２は共用され、これにより発光回路基板３３の回路配置は簡素化される。また、好ましい本実施形態の発光キーボード３は弾性体３４３を固定させる弾性体フィルムを設置しておらず、弾性体フィルムと発光回路基板３３を結合させる事で、好ましい本実施形態の発光キーボード３は弾性体フィルムを設置するため厚みを省き、発光キーボード３の内部構造の全高を縮小させる。
【００３１】
続いて、本発明に係る発光キーボードは好ましい第二実施形態を更に提供する。図７は本発明に係る発光キーボードの好ましい第二実施形態の部分構造の分解概略図である。発光キーボード４は底板４０、主回路基板４１、薄膜スイッチ回路４２、発光回路基板４３、複数個のキー４４(図中には一個のみ図示する)及び弾性体フィルム４５を含み、またキー４４はキーキャップ４４１、はさみ型接合部材４４２及び弾性体４４３で構成される。好ましい本実施形態の発光キーボード４の底板４０、主回路基板４１及び複数個のキー４４の構造とその排列順は全て好ましい第一実施形態と同じであり、故に更なる説明はしない。好ましい本実施形態の発光キーボード４は追加で弾性体フィルム４５を設置し、弾性体フィルム４５上には遮光層４５１を有し、光漏れ現象を防ぎ、また弾性体４４３は遮光層４５１上に設置される。薄膜スイッチ回路４２は弾性体フィルム４５の下方に位置され、発光回路基板４３は薄膜スイッチ回路４２の下方に位置され、主回路基板４１は薄膜スイッチ回路４２の一辺に設置され、薄膜スイッチ回路４２に接続される。
【００３２】
次に薄膜スイッチ回路４２及び発光回路基板４３の細部構造について説明する。図８は本発明に係る発光キーボードの好ましい第二実施形態に於ける薄膜スイッチ回路と発光回路基板の構造分解概略図である。発光回路基板４３は薄膜スイッチ回路４２に重置され、また薄膜スイッチ回路４２の下方に位置される。発光回路基板４３は複数の発光源４３１及び第二伝導回路４３２を含み、複数の発光源４３１は発光回路基板４３の第一面４３３上に設置され、ビーム(図示せず)を発生させ、好ましい本実施形態では、発光回路基板の第一面４３３は上部表面となる。第二伝導回路４３２は発光回路基板の第一面４３３上に設置され、また発光源４３１に接続され、第二伝導回路４３２は第二ジャンパエリア４３２１を有する。
【００３３】
図８によれば、薄膜スイッチ回路４２は上部回路基板４２１、隔離層４２２及び下部回路基板４２３で構成され、上部回路基板４２１は複数の上部接点４２１１及び第三伝導回路４２１２を有し、また第三伝導回路４２１２は第三ジャンパエリア４２１２Ａを有し、ここでは複数の上部接点４２１１及び第三伝導回路４２１２は上部回路基板４２１の下部表面４２１３に設置される。下部回路基板４２３は上部回路基板４２１の一辺に位置され、複数の上部接点４２１１に対応する複数の下部接点４２３１、第一伝導回路４２３２及びバス４２３３を有し、ここでは複数の下部接点４２３１及び第一伝導回路４２３２は下部回路基板４２３の上部表面４２３４に設置される。各下部接点４２３１と各上部接点４２１１はキー接点を形成し、また下部接点４２３１は薄膜スイッチ回路４２が触圧される時に上部接点４２１１に接触されて信号を発生させる。第一伝導回路４２３２は複数の下部接点４２３１に接続され、また第一伝導回路４２３２は第一ジャンパエリア４２３２Ａを有し、ここでは第一ジャンパエリア４２３２Ａの位置は上部回路基板４２１の第三ジャンパエリア４２１２Ａに対応し、第一ジャンパエリア４２３２Ａは第三ジャンパエリア４２１２Ａに接触されて上部回路基板４２１と下部回路基板４２３の接点回路(図示せず)を確立させる。バス４２３３は主回路基板４１と第一伝導回路４２３２に接続される。このほか、発光回路基板４３の第二ジャンパエリア４３２１の位置は下部回路基板４２３の第一ジャンパエリア４２３２Ａに対応する。隔離層４２２は上部接点４２１１に対応する複数の隔離層孔部４２２１を有し、薄膜スイッチ回路４２が触圧される時に上部接点４２１１にその中へ進入される。
【００３４】
好ましい本実施形態では、薄膜スイッチ回路４２と発光回路基板４３の結合過程では圧着方式が採用され両者を結合させる。両者の結合過程では、下部回路基板４２３の上部表面４２３４に設置される第一伝導回路４２３２は第一ジャンパエリア４２３２Ａを経由して発光回路基板４３上の第二ジャンパエリア４３２１に接触される。薄膜スイッチ回路４２と発光回路基板４３が圧着されると、薄膜スイッチ回路４２上の第一ジャンパエリア４２３２Ａ及び発光回路基板４３上の第二ジャンパエリア４３２１は結合され、この時、薄膜スイッチ回路４２上の第一伝導回路４２３２と発光回路基板４３上の第二伝導回路４３２間の電気的接続が確立される。これにより、発光回路基板４３に必要な電源は主回路基板４１(図７に図示する)、バス４２３３、第一伝導回路４２３２(第一ジャンパエリア４２３２Ａを含む)及び第二伝導回路４３２(第二ジャンパエリア４３２１を含む)を経由して複数の発光源４３１に伝送される。
【００３５】
上述のように、好ましい本実施形態の発光キーボード４では発光回路基板４３上には第二ジャンパエリア４３２１が設置され、発光回路基板４３は薄膜スイッチ回路４２の下方に重置され、薄膜スイッチ回路４２上の第一ジャンパエリア４２３２Ａと発光回路基板４３上の第二ジャンパエリア４３２１を結合させる。好ましい本実施形態の発光キーボード４は追加で主回路基板４１へ接続されるバスの設置が不要になるのみならず、第二ジャンパエリア４３２１が設置される発光回路基板４３と従来のキーボードを結合させて、好ましい本実施形態の発光キーボード４を形成させ、これにより追加の組型が不要になりコストを削減できる。
【００３６】
また、本発明に係る発光キーボードは好ましい第三実施形態を更に提供する。図９は本発明に係る発光キーボードの好ましい第三実施形態の部分構造の分解概略図である。発光キーボード５は底板５０、主回路基板５１、第一回路基板５２、発光回路基板５３、第二回路基板５４、複数個のキー５５(図中には一個のみ図示する)及び弾性体フィルム５６を含む。キー５５はキーキャップ５５１、はさみ型接合部材５５２及び弾性体５５３からなり、また弾性体フィルム５６上には遮光層５６１を有し、光漏れ現象を防ぎ、弾性体５５３は遮光層５６１上に設置される。好ましい本実施形態の発光キーボード５の底板５０、主回路基板５１、複数個のキー５５及び弾性体フィルム５６の構造とその排列順は全て好ましい第二実施形態と同じであり、故に更なる説明はしない。
【００３７】
図９によれば、第二回路基板５４は弾性体フィルム５６と発光回路基板５３の間に位置され、発光回路基板５３は第二回路基板５４と第一回路基板５２の間に位置される。第一回路基板５２は第二回路基板５４の一辺に位置され、また第一回路基板５２は複数の第一接点５２１、第一伝導回路５２２及びバス５２３を有する。第一伝導回路５２２は複数の第一接点５２１に接続され、また第一伝導回路５２２は第一ジャンパエリア５２２１を有する。第二回路基板５４は複数の第一接点５２１に対応する複数の第二接点５４１及び第三伝導回路５４２を有し、また第三伝導回路５４２は第三ジャンパエリア５４２１を有する。各第二接点５４１と各第一接点５２１はキー接点を形成させ、また第二接点５４１は第二回路基板５４が触圧される時に第一接点５２１に接触されて信号を発生させ、ここでは第一ジャンパエリア５２２１の位置は第二回路基板５４の第三ジャンパエリア５４２１に対応する。バス５２３は第二回路基板５４の一辺に位置される主回路基板５１及び其第一伝導回路５２２に接続される。好ましい本実施形態では、第一回路基板５２は下部回路基板であり、また第一接点５２１は下部接点であり、その第一接点５２１及び第一伝導回路５２２は第一回路基板５２の上部表面５２４に設置され、第二回路基板５４は上部回路基板であり、また第二接点５４１は上部接点であり、その第二接点５４１及び第三伝導回路５４２は第二回路基板５４の下部表面５４３に設置される。
【００３８】
発光回路基板５３は複数の発光源５３１、第二伝導回路５３２及び複数の隔離層孔部５３３で構成され、複数の発光源５３１は発光回路基板５３の第一面５３４上に設置され、ビーム(図示せず)を発生させ、好ましい本実施形態では、発光回路基板の第一面５３４は上部表面である。第二伝導回路５３２は発光回路基板の第一面５３４上に設置され、また発光源５３１に接続され、第二伝導回路５３２は第二ジャンパエリア５３２１を有し、ここでは第二ジャンパエリア５３２１の位置は第一回路基板５２の第一ジャンパエリア５２２１に対応する。複数の隔離層孔部５３３は複数の第二接点５４１に対応し、第二回路基板５４が触圧される時に第二接点５４１にその中へ進入される。
【００３９】
第一回路基板５２、発光回路基板５３及び第二回路基板５４が結合される時、第一回路基板５２上の第一ジャンパエリア５２２１と発光回路基板５３上の第二ジャンパエリア５３２１は結合され、この時、第一回路基板５２上の第一伝導回路５２２と発光回路基板５３上の第二伝導回路５３２間の電気的接続が確立される。これにより、発光回路基板５３に必要な電源は主回路基板５１、バス５２３、第一伝導回路５２２(第一ジャンパエリア５２２１を含む)及び第二伝導回路５３２(第二ジャンパエリア５３２１を含む)を経由して複数の発光源５３１に伝送される。このほか、第一回路基板５２上の第一ジャンパエリア５２２１は第三ジャンパエリア５４２１に接触されて第二回路基板５４と第一回路基板５２の接点回路(図示せず)が確立される。
【００４０】
ちなみに、好ましい本実施形態では、第一回路基板５２、発光回路基板５３及び第二回路基板５４は共に薄膜スイッチ回路を形成し、また第一回路基板５２、発光回路基板５３及び第二回路基板５４は圧着方式を採用して第一ジャンパエリア５２２１と第三ジャンパエリア５４２１、並びに第一ジャンパエリア５２２１と第二ジャンパエリア５３２１を結合させる。
【００４１】
上述のように、好ましい本実施形態の発光キーボード５の発光回路基板５３は第一回路基板５２及び第二回路基板５４の間に設置され、三者は共に薄膜スイッチ回路を形成させる。これにより、好ましい本実施形態の発光キーボード５は本来の隔離層の厚みを減らし発光キーボード５の内部構造の全高を縮小させる。
【００４２】
このほか、本発明に係る発光キーボードは好ましい第四実施形態を更に提供する。図１０は本発明に係る発光キーボードの好ましい第四実施形態の部分構造の分解概略図である。発光キーボード６は底板６０、主回路基板６１、第一回路基板６２、発光回路基板６３、第二回路基板６４、複数個のキー６５(図中には一個のみ図示する)及び弾性体フィルム６６を含む。キー６５はキーキャップ６５１、はさみ型接合部材６５２及び弾性体６５３からなり、また弾性体フィルム６６上には遮光層６６１を有し、光漏れ現象を防ぎ、また弾性体６５３は遮光層６６１上に設置される。好ましい本実施形態の発光キーボード６の各部材とその排列順は好ましい第三実施形態の発光キーボード５と大方同じであり、好ましい第三実施形態の発光キーボード５と異なる点は発光回路基板６３の構造及び第一回路基板６２と第二回路基板６４の位置である。
【００４３】
図１０によれば、第一回路基板６２は第二回路基板６４の一辺に位置され、また第一回路基板６２は複数の第一接点６２１、第一伝導回路６２２及びバス６２３を有する。第一伝導回路６２２は複数の第一接点６２１に接続され、また第一伝導回路６２２は第一ジャンパエリア６２２１を有する。第二回路基板６４は複数の第一接点６２１に対応する複数の第二接点６４１及び第三伝導回路６４２を有し、また第三伝導回路６４２は第三ジャンパエリア６４２１を有する。発光回路基板６３は複数の発光源６３１、第二伝導回路６３２及び複数の隔離層孔部６３３で構成され、また第二伝導回路６３２は第二ジャンパエリア６３２１を有し、その位置は第一回路基板６２の第一ジャンパエリア６２２１に対応する。複数の発光源６３１、第二伝導回路６３２及び複数の隔離層孔部６３３の構造及び機能は全て好ましい第三実施形態の発光キーボード５の物と同じであり更なる詳述はせず、その異なる点は第二伝導回路６３２が発光回路基板の第一面６３４上に設置され、またその第一面６３４は上部表面となる点である。
【００４４】
好ましい本実施形態では、第一回路基板６２は弾性体フィルム６６と発光回路基板６３の間に位置され、また発光回路基板６３は第一回路基板６２と第二回路基板６４の間に位置される。第一回路基板６２の複数の第一接点６２１及び第一伝導回路６２２は第一回路基板６２の下部表面６２４に設置され、第二回路基板６４の複数の第二接点６４１及び第三伝導回路６４２は第二回路基板６４の上部表面６４３に設置される。即ち、第一回路基板６２は上部回路基板となり、第二回路基板６４は下部回路基板となる。第一回路基板６２、発光回路基板６３及び第二回路基板６４の結合情況は好ましい第三実施形態の発光キーボード５と大方同じであり更なる説明はしない。
【００４５】
上述の各好ましい実施形態のように、本発明に係る発光キーボードは主に発光回路基板上の第二ジャンパエリアと薄膜スイッチ回路或いは第一回路基板上の第一ジャンパエリアを利用して発光回路基板の第二伝導回路と薄膜スイッチ回路或いは第一回路基板上の第一伝導回路を結合させ、発光回路基板は追加でのバスの設置が不要になり、薄膜スイッチ回路或いは第一回路基板上の第一伝導回路により主回路基板に接続されて、必要な電源を獲得する。これにより追加で設置されるバスの分のコストを節約できる。また、発光回路基板はバスを設置する必要が無い為、またその第二伝導回路もバスに接続される必要が無くなり、この為、発光回路基板では第二ジャンパエリアに接続される回路の設計のみが必要であり、発光回路基板の回路配置が単純になり容易に回路の設計を行える。このほか、本発明に係る発光キーボードは異なる需要に沿ってその内部部材の排列方式を変更させ、弾性体フィルムの構造と機能を発光回路基板上に統合させ、或いは隔離層の構造を発光回路基板上に統合させる事により、本来の弾性体フィルム或いは隔離層の厚みを減らし、発光キーボードの内部構造の全高を縮小させる。
【００４６】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００４７】
１          キーボード
２          発光キーボード
３          発光キーボード
４          発光キーボード
５          発光キーボード
６          発光キーボード
１０        キー
２０        キー
３４        キー
４４        キー
５５        キー
６５        キー
２１        金属底板
２２        薄膜スイッチ回路
３２        薄膜スイッチ回路
４２        薄膜スイッチ回路
２３        弾性体フィルム
４５        弾性体フィルム
５６        弾性体フィルム
６６        弾性体フィルム
２４        発光薄膜スイッチ回路
２５        主回路基板
３１        主回路基板
４１        主回路基板
５１        主回路基板
６１        主回路基板
３０        底板
４０        底板
５０        底板
６０        底板
３３        発光回路基板
４３        発光回路基板
５３        発光回路基板
６３        発光回路基板
３５        導電接着剤
５２        第一回路基板
６２        第一回路基板
５４        第二回路基板
６４        第二回路基板
１０１      一般キー
１０２      テンキー
１０３      ファンクションキー
２０１      キーキャップ
３４１      キーキャップ
４４１      キーキャップ
５５１      キーキャップ
６５１      キーキャップ
２０２      はさみ型接合部材
３４２      はさみ型接合部材
４４２      はさみ型接合部材
５５２      はさみ型接合部材
６５２      はさみ型接合部材
２０３      弾性体
３４３      弾性体
４４３      弾性体
５５３      弾性体
６５３      弾性体
２２１      回路接点
２２２      第一伝導回路
３２１２    第一伝導回路
４２３２    第一伝導回路
５２２      第一伝導回路
６２２      第一伝導回路
２２３      第一バス
２３１      遮光層
３３３      遮光層
４５１      遮光層
５６１      遮光層
６６１      遮光層
２４１      発光源
３３１      発光源
４３１      発光源
５３１      発光源
６３１      発光源
２４２      第二伝導回路
３３２      第二伝導回路
４３２      第二伝導回路
５３２      第二伝導回路
６３２      第二伝導回路
２４３      第二バス
３２１      上部回路基板
４２１      上部回路基板
３２２      隔離層
４２２      隔離層
３２３      下部回路基板
４２３      下部回路基板
３３４      発光回路基板の第一面
４３３      発光回路基板の第一面
５３４      発光回路基板の第一面
６３４      発光回路基板の第一面
３３５      発光回路基板の第二面
５２１      第一接点
６２１      第一接点
５２４      第一回路基板の上部表面
５４１      第二接点
６４１      第二接点
５４３      第二回路基板の下部表面
６２４      第一回路基板の上部表面
６４３      第二回路基板の上部表面
３２１１    上部接点
４２１１    上部接点
３２１３    バス
４２３３    バス
５２３      バス
６２３      バス
３２１４    上部回路基板の下部表面
４２１３    上部回路基板の下部表面
３２２１    隔離層孔部
４２２１    隔離層孔部
５３３      隔離層孔部
６３３      隔離層孔部
３２３１    下部接点
４２３１    下部接点
３２３２    第三伝導回路
４２１２    第三伝導回路
５４２      第三伝導回路
６４２      第三伝導回路
３２３３    下部回路基板の上部表面
４２３４    下部回路基板の上部表面
３３２１    第二ジャンパエリア
４３２１    第二ジャンパエリア
５３２１    第二ジャンパエリア
６３２１    第二ジャンパエリア
５２２１    第一ジャンパエリア
６２２１    第一ジャンパエリア
３２１２Ａ  第一ジャンパエリア
４２３２Ａ  第一ジャンパエリア
５４２１    第三ジャンパエリア
６４２１    第三ジャンパエリア
３２３２Ａ  第三ジャンパエリア
４２１２Ａ  第三ジャンパエリア
Ｅ          電源
【図１】
2012216164.tif 000003
【図２】
2012216164.tif 000004
【図３】
2012216164.tif 000005
【図４】
2012216164.tif 000006
【図５】
2012216164.tif 000007
【図６】
2012216164.tif 000008
【図７】
2012216164.tif 000009
【図８】
2012216164.tif 000010
【図９】
2012216164.tif 000011
【図１０】
2012216164.tif 000012